(57)【要約】【課題】欠陥セクタ／ブロックの検出効率を良くすると共に、ベリファイ処理でのデータ記録時間を短縮する光ディスク装置を提供する。【解決手段】ＥＣＣデコーダ回路２５はＮ番目のグルーブトラックおよびＮ＋１番目のグルーブトラックの欠陥セクタ／ブロック検出を行い、このＥＣＣデコーダ回路２５の検出結果により、制御マイコン３１はＮ番目のグルーブトラックとＮ＋１番目のグルーブトラックで挟まれるＮ番目のランドトラックの欠陥セクタ／ブロックを推定して欠陥管理を行う。【選択図】      図６
2004265479.tif 000002
【特許請求の範囲】
【請求項１】
ランドトラックおよびグルーブトラックそれぞれにデータが記録されるランドグルーブ構造で、前記ランドトラックと前記グルーブトラックがそれぞれシングルスパイラルであり、セクタ物理アドレスは前記ランドトラックまたは前記グルーブトラックのいずれか一方のスパイラルトラックの先頭セクタから前記一方のスパイラルトラックの最終セクタにかけて規定単位ずつ増加し、前記一方のスパイラルトラックの最終セクタ番号と前記ランドトラック側またはグルーブトラック側のいずれか他方のスパイラルトラックの先頭セクタ番号との差が前記規定単位で、前記他方のスパイラルトラック中のセクタ物理アドレスは前記他方のスパイラルトラックの先頭セクタから前記他方のスパイラルトラックの最終セクタにかけて前記規定単位ずつ増加し、前記他方のスパイラルトラックの最終セクタ物理アドレスが最終物理アドレスである光ディスク媒体に情報を記録再生する光ディスク装置であって、
前記グルーブトラックまたは前記ランドトラックのうちいずれか一方のトラックの欠損状態を検出する手段と、
この検出手段の検出結果に基づき、隣接する前記ランドトラックまたは前記グルーブトラックのうちいずれか他方のトラックの欠損状態を推定して欠陥管理を行う欠陥管理手段と
を具備すること特徴とする光ディスク装置。
【請求項２】
ランドトラックおよびグルーブトラックそれぞれにデータが記録されるランドグルーブ構造であり、ｎトラック（ｎ≧４）分の領域をひとつのゾーンとして定義し、このゾーン内のトラックが前記ランドトラックと前記グルーブトラックそれぞれにおいてシングルスパイラルであり、シーケンシャル記録再生時に前記ゾーンを構成するセクタ物理アドレスが、前記ランドトラックまたは前記グルーブトラックのいずれか一方のスパイラルトラックの先頭セクタが前記ゾーン中一番小さい物理セクタ番号で当該スパイラルトラックに対して順次アドレスが規定単位ずつ増加され、当該スパイラルトラックの最終セクタ番号と前記ゾーンの前記ランドトラックまたは前記グルーブトラックのいずれか他方のスパイラルトラックのゾーン先頭セクタ物理番号との差が前記規定単位であり、前記他方のスパイラルトラックに対して順次アドレスが前記規定単位ずつ増加され、前記他方のスパイラルトラックの最終セクタ物理アドレスが当該ゾーンの最終物理アドレスであるような光ディスク媒体に情報を記録再生する光ディスク装置であって、
前記グルーブトラックの欠損状態を検出する検出手段と、
この検出手段の検出結果を基に、前記グルーブトラックに隣接する前記ランドトラックの欠損状態を推定して欠陥管理を行うこと欠陥管理手段と
を具備したことを特徴とする光ディスク装置。
【請求項３】
ランドトラックおよびグルーブトラックそれぞれにデータが記録されるランドグルーブ構造であり、ｎトラック（ｎ≧４）分の領域をひとつのゾーンとして定義し、このゾーン内のトラックが前記ランドトラックと前記グルーブトラックそれぞれにおいてシングルスパイラルであり、シーケンシャル記録再生時に前記ゾーンを構成するセクタ物理アドレスが、前記ランドトラックまたは前記グルーブトラックのいずれか一方のスパイラルトラックの先頭セクタが前記ゾーン中一番小さい物理セクタ番号で当該スパイラルトラックに対して順次アドレスが規定単位ずつ増加され、当該スパイラルトラックの最終セクタ番号と前記ゾーンの前記ランドトラックまたは前記グルーブトラックのいずれか他方のスパイラルトラックのゾーン先頭セクタ物理番号との差が前記規定単位であり、前記他方のスパイラルトラックに対して順次アドレスが前記規定単位ずつ増加され、前記他方のスパイラルトラックの最終セクタ物理アドレスが当該ゾーンの最終物理アドレスであるような光ディスク媒体に情報を記録再生する光ディスク装置であって、
前記ランドトラックの欠損状態を検出する検出手段と、
この検出手段の検出結果を基に、前記ランドトラックに隣接する前記グルーブトラックの欠損状態を推定して欠陥管理を行う欠陥管理手段と
を具備したことを特徴とする光ディスク装置。
【請求項４】
前記検出手段は、記録データの欠損位置を特定することで欠損状態の検出を行うことを特徴とする請求項１乃至３の光ディスク装置。
【請求項５】
前記検出手段は、エラー訂正前の情報を基に前記記録データの欠損位置特定を行うことを特徴とする請求項３記載の光ディスク装置。
【請求項６】
前記検出手段は、エラー訂正不能ブロックの情報を基に前記記録データの欠損位置を特定することを特徴とした請求項３の光ディスク装置。
【請求項７】
前記検出手段は、プリピットアドレスの欠損位置を特定することで前記欠損状態を検出することを特徴とする請求項１乃至３記載の光ディスク装置。
【請求項８】
前記検出手段は、記録同期信号の欠損位置を特定することで欠損状態を検出することを特徴とする請求項１乃至３記載の光ディスク装置。
【請求項９】
ランドトラックおよびグルーブトラックそれぞれにデータが記録されるランドグルーブ構造で、前記ランドトラックと前記グルーブトラックがそれぞれシングルスパイラルであり、セクタ物理アドレスは前記ランドトラックまたは前記グルーブトラックのいずれか一方のスパイラルトラックの先頭セクタから前記一方のスパイラルトラックの最終セクタにかけて規定単位ずつ増加し、前記一方のスパイラルトラックの最終セクタ番号と前記ランドトラック側またはグルーブトラック側のいずれか他方のスパイラルトラックの先頭セクタ番号との差が前記規定単位で、前記他方のスパイラルトラック中のセクタ物理アドレスは前記他方のスパイラルトラックの先頭セクタから前記他方のスパイラルトラックの最終セクタにかけて前記規定単位ずつ増加し、前記他方のスパイラルトラックの最終セクタ物理アドレスが最終物理アドレスである光ディスク媒体の欠陥管理方法であって、
前記グルーブトラックまたは前記ランドトラックのうちいずれか一方のトラックの欠損状態を検出し、
この検出結果に基づき、隣接する前記ランドトラックまたは前記グルーブトラックのうちいずれか他方のトラックの欠損状態を推定する
ことを特徴とする欠陥管理方法。
【発明の詳細な説明】
【０００１】
【発明の属する技術分野】
本発明は光ディスク装置に係り、特に光ディスク媒体の欠陥管理方法に関する。
【０００２】
【従来の技術】
光ディスクにおいては、記録再生時の信頼性を確保するために、記録再生できないセクタを欠陥セクタとして登録し、使用を禁止する欠陥セクタ管理を行っている。
この欠陥セクタ管理方法としては、ディスクの初期化時に、トラックの先頭セクタアドレスから最終セクタアドレスにかけてテストデータを書込みながら書き込んだデータが正しく読み出せるか否かを判定しデータが正しく読み出せないセクタは欠陥セクタとして欠陥リストに登録し、またデータ記録時に、ベリファイ処理で読出しエラーと判定されたセクタを欠陥セクタとして欠陥リストに登録する方法がとられている（例えば、特許文献１参照。）。
【０００３】
また、光ディスクにおいては、ディスクの大容量化を図るために、シングルスパイラルのランドトラックとグルーブトラックそれぞれに情報を記録するランドグルーブ構造を用いたものが考えられている。この構造の光ディスクは、セクタ物理アドレスがランドトラックまたはグルーブトラックのいずれか一方のスパイラルトラックの先頭セクタから最終セクタにかけて規定単位ずつ増加し、一方のトラックの最終セクタ番号とランドトラック側またはグルーブトラック側のいずれか他方のスパイラルトラックの先頭セクタ番号との差が規定単位で、他方のスパイラルトラック中のセクタ物理アドレスは他方のスパイラルトラックの先頭セクタから最終セクタにかけて規定単位ずつ増加し、他方のスパイラルトラックの最終セクタ物理アドレスが最終物理アドレスになる（例えば、特許文献２参照。）。
【０００４】
【特許文献１】
特開平１１−２１９５６８号公報（第３−５頁、第１４図、第１６図）
【特許文献２】
特開平１１−２９６９７９号公報（第１０−１６頁、第１図）
【０００５】
【発明が解決しようとする課題】
上記特許文献１の欠陥セクタ管理方法を上記特許文献２のランドグルーブ構造の光ディスクに適用すると、物理的には隣接トラックであるにもかかわらず、１つのトラックの欠陥セクタの検出終了後に、隣接トラックの欠陥セクタの検出が行われることになる。したがって、欠陥セクタの検出効率が悪く、ベリファイ処理でのデータ記録時間が長くなるという問題点があった。
【０００６】
本発明は上記課題に鑑み、欠陥セクタ／ブロックの検出効率を良くすると共に、ベリファイ処理でのデータ記録時間を短縮することが可能な光ディスク装置を提供することを目的とする。
【０００７】
【課題を解決するための手段】
本発明の光ディスク装置は、ランドトラックおよびグルーブトラックそれぞれにデータが記録されるランドグルーブ構造で、ランドトラックとグルーブトラックがそれぞれシングルスパイラルであり、セクタ物理アドレスはランドトラックまたはグルーブトラックのいずれか一方のスパイラルトラックの先頭セクタから最終セクタにかけて規定単位ずつ増加し、一方のスパイラルトラックの最終セクタ番号とランドトラック側またはグルーブトラック側のいずれか他方のスパイラルトラックの先頭セクタ番号との差が規定単位で、他方のスパイラルトラック中のセクタ物理アドレスは他方のスパイラルトラックの先頭セクタから最終セクタにかけて規定単位ずつ増加し、他方のスパイラルトラックの最終セクタ物理アドレスが最終物理アドレスである光ディスク媒体を用いる際に、グルーブトラックまたはランドトラックのうちいずれか一方のトラックの欠損状態を検出する手段と、この検出手段の検出結果に基づき、隣接するランドトラックまたはグルーブトラックのうちいずれか他方のトラックの欠損状態を推定して欠陥管理を行う欠陥管理手段とを備えている。
【０００８】
また、本発明の欠陥管理方法は、ランドトラックおよびグルーブトラックそれぞれにデータが記録されるランドグルーブ構造で、ランドトラックとグルーブトラックがそれぞれシングルスパイラルであり、セクタ物理アドレスはランドトラックまたはグルーブトラックのいずれか一方のスパイラルトラックの先頭セクタから一方のスパイラルトラックの最終セクタにかけて規定単位ずつ増加し、一方のスパイラルトラックの最終セクタ番号とランドトラック側またはグルーブトラック側のいずれか他方のスパイラルトラックの先頭セクタ番号との差が規定単位で、他方のスパイラルトラック中のセクタ物理アドレスは他方のスパイラルトラックの先頭セクタから他方のスパイラルトラックの最終セクタにかけて規定単位ずつ増加し、他方のスパイラルトラックの最終セクタ物理アドレスが最終物理アドレスである光ディスク媒体において、グルーブトラックまたはランドトラックのうちいずれか一方のトラックの欠損状態を検出し、この検出結果に基づき、隣接するランドトラックまたはグルーブトラックのうちいずれか他方のトラックの欠損状態を推定する。
【０００９】
【発明の実施の形態】
以下、図面を参照して、本発明の実施形態を説明する。
図１は本発明の実施形態に係わる光ディスク装置の構成を示すブロック図である。
光ディスク装置１は光ディスク装置１に着脱自在な光ディスク媒体３を所定の回転数にて回転駆動するためのモータ５、光ディスク媒体３に情報を記録しまた光ディスク媒体３から情報を読み出す光ピックアップヘッド（以下、光ＰＵＨと称する）７、この光ＰＵＨ７を光ディスク媒体３の所定位置に移動するサーボ処理回路９、光ＰＵＨ７が光ディスク媒体３から読み出した信号を増幅するプリアンプ回路１１、プリアンプ回路１１で増幅された信号の再生処理を行う再生信号処理回路１３、光ＰＵＨ７に光ディスク媒体３に対する記録信号を供給する記録アンプ回路１５、記録アンプ回路１５に対して記録信号を供給する記録信号処理回路１７、再生信号処理回路１３の再生信号から光ＰＵＨ７の物理アドレスを検出して記録信号処理回路１７に供給する物理アドレス検出回路１９、記録データ／再生データを一時格納するバッファ回路２１、バッファ回路２１を制御するバッファコントローラ２３、バッファコントローラ２３を介して再生信号処理回路１３から送られる再生信号をデインターリーブ処理してＥＣＣブロックを再現するＥＣＣデコーダ回路２５、記録データのＥＣＣエンコード処理を行うＥＣＣエンコーダ回路２７、外部ホストとのインタフェースとなるホストインタフェース回路２９、光ディスク装置１の各部を制御する制御マイコン３１、欠陥管理情報が記録される欠陥管理情報記憶メモリ３３から構成される。
【００１０】
ここで、光ディスク装置１の光記録媒体３への情報記録動作について説明する。
先ず、外部ホストから情報記録要求が発生すると、ホストインタフェース回路２９がこの情報記録要求を受信する。情報記録要求受信後、ホストインタフェース回路２９は制御マイコン３１に対して外部ホストより情報記録要求が発生した旨を通知する。制御マイコン３１は情報記録要求の発生を受けると、情報記録要求された記録要求データのデータ長を基にバッファコントローラ２３に記録要求データのデータ長の記録処理に必要な領域長の予約を指示する。
【００１１】
次に、制御マイコン３１はホストインタフェース回路２９に対して情報記録要求された記録要求データを外部ホストから取得するように指示する。ホストインタフェース回路２９は制御マイコン３１からの取得指示を受けると、外部ホストから記録要求データを取得する。ホストインタフェース回路２９は取得した記録要求データをバッファコントローラ２３を介してバッファ回路２１に転送する。ホストインタフェース回路２９はバッファ回路２１への記録要求データの転送が完了すると制御マイコン３１にその旨を通知する。
【００１２】
制御マイコン３１はホストインタフェース回路２９からの転送完了通知を受信すると、ＥＣＣエンコーダ回路２７に対してバッファ回路２１に転送された記録要求データのＥＣＣエンコード命令を指示する。ＥＣＣエンコーダ回路２７は制御マイコン３１からの指示の基づき記録要求データのＥＣＣエンコード処理を実行する。ＥＣＣエンコーダ回路２７はエンコード処理終了後、制御マイコン３１にＥＣＣエンコード処理終了を通知する。
【００１３】
その後、制御マイコン３１は情報記録要求の情報論理アドレス及び欠陥管理情報記憶メモリ３３に記憶されている欠陥管理情報を基に記録要求データを記録する光ディスク媒体３上の物理アドレスを算出する。物理アドレス算出後、制御マイコン３１はサーボ処理回路９に対して算出した物理アドレスに光ＰＵＨ７を移送するよう指示する。サーボ処理回路９は制御マイコン３１の指示により光ＰＵＨ７の移送制御を行う。移送終了後、サーボ処理回路９はモードを再生状態に移行し、制御マイコン３１に対して光ＰＵＨ７の移送処理の終了を通知する。
【００１４】
制御マイコン３１は光ＰＵＨ７の移送終了通知を受けると、記録信号処理回路１７に対して、物理アドレス検出回路１９からの信号により再生位置の物理アドレスを参照して記録要求データを記録する光ディスク媒体３の記録対象物理アドレスから、ＥＣＣエンコード処理後バッファ回路２１に格納された記録要求データを光ディスク媒体３に記録するよう指示する。記録信号処理回路１７は物理アドレス検出回路１９により検出された物理アドレス値と物理アドレス検出同期信号に同期し、バッファコントローラ２３を介してバッファ回路２１からＥＣＣエンコード処理済みの記録要求データを取得する。記録信号処理回路１７は取得した記録要求データを記録アンプ回路１５を介して光ＰＵＨ７に送信する。光ＰＵＨ７は送信された記録要求データを光ディスク媒体３に記録する。
【００１５】
記録信号処理回路１７は記録要求データの記録が全て終了すると、制御マイコン３１に対して記録終了した旨を通知する。制御マイコン３１は情報記録要求の情報論理アドレス及び欠陥管理情報記憶メモリ３３に記憶されている欠陥管理情報を基に、サーボ処理回路９に対して光ＰＵＨ７を記録要求データを記録した光ディスク媒体３上の物理アドレスへ移送するよう指示する。サーボ処理回路９による光ＰＵＨ７の移送が終了すると、サーボ処理回路９はモードを再生状態に移行し、制御マイコン３１に対して光ＰＵＨ７の移送処理が終了した旨を通知する。
【００１６】
制御マイコン３１は光ＰＵＨ７の移送終了通知を受けると、再生信号処理回路１３に対して、物理アドレス検出回路１９からの信号により再生位置の物理アドレスを参照し、記録要求データを記録した光ディスク媒体３の物理アドレスより記録要求データを再生した再生データをバッファ回路２１に格納する旨指示する。
【００１７】
再生信号処理回路１３はバッファコントローラ２３を操作してバッファ回路２１へ再生データを転送する。転送終了後、再生信号処理回路１３は制御マイコン３１に対して転送終了を通知する。制御マイコン３１は再生データについてＥＣＣデコード処理する命令をＥＣＣデコーダ回路２５に指示する。ＥＣＣデコーダ回路２５はバッファコントローラ２３を操作し、バッファ回路２１から再生データを転送してＥＣＣデコード処理を行いエラー訂正を行う。ここで、エラー訂正が完了すれば、記録要求データの記録処理が成功したことになる。
【００１８】
ここで、リードソロモン訂正符号をもつＥＣＣ構造（以下、ＥＣＣブロックと称する）におけるＥＣＣエンコーダ回路２７のＥＣＣエンコード処理、およびＥＣＣデコーダ回路２５のＥＣＣデコード処理を説明する。
【００１９】
図２はＥＣＣエンコーダ回路２７によるＥＣＣエンコード処理方法を示す概念図である。
１つのＥＣＣブロックは１７２バイト×１２行で構成される１６個のセクタデータで構成され、１７２バイトのデータに対して内符号パリティ（以下ＰＩ）の１０バイトを付加した１８２バイトのＲＳ（１８２、１７２、１１）内符号（以下ＰＩ行）と、ＰＩ行１９２行について縦方向列１８２列全てに１６バイトの外符号パリティ（以下ＰＯ）を付加した２０８バイトのＲＳ（２０８、１９２、１７）外符号１８２列（以下ＰＯ列）という構成でＥＣＣエンコードされる。記録時のセクタ構成は、ＰＩユーザーデータを含む１２行に対してＰＯを含む１行を組み合わせ（以下、インターリーブと称する）して構成される。ＥＣＣエンコード処理されたデータを光ディスク媒体３に記録する時は、セクタ１からセクタ１６までを順番に記録する。
【００２０】
図３はＥＣＣデコーダ回路２５によるＥＣＣデコード処理方法を示す概念図である。
ＥＣＣデコーダ回路２５は光ディスク媒体３に記録されたデータを再生し、デインターリーブ処理を行い、ＥＣＣブロックを再現する。このとき、光ディスク表面に付着したゴミや傷の影響でＥＣＣブロックを構成するデータ列に欠損（以下、エラーと称する）が生じると、ＥＣＣブロックをＥＣＣデコード処理することでエラーを復元（以下、エラー訂正と称する）する。しかし、エラーの大きさが一定数を超えるとエラー訂正は不可能（以下、エラー訂正不能と称する）となる。本例の場合、各ＰＩ行で１０バイト以内、各ＰＯ列方向１６バイト以内であれば理論上はエラー訂正が可能である。例えばＰＩ行の３行分がエラーとなるような場合でも、ＰＯ列をエラー訂正することでＰＩ行のエラーが訂正可能である。しかしながら、ＰＩ行のエラーが１６行を超えるような場合はエラー訂正不能になる。
【００２１】
光ディスク媒体３上に外的要因、例えば操作者の不注意による指紋汚れや傷が付着するような要因でエラー訂正不能となったＥＣＣブロックについては欠陥管理情報として登録され、エラー訂正不能ＥＣＣブロックの交替処理が行われる。
【００２２】
次に、エラー訂正不能ＥＣＣブロックの交替処理について説明する。
図４は交替処理を説明するための概念図である。
光ディスク媒体３に記録したデータを再生してＥＣＣデコード処理した結果、エラー訂正不能であるデータ４ａについて、２次交替領域４ｂに再記録し、再記録したデータを再生してＥＣＣデコード処理してエラー訂正ができることを確認する。
【００２３】
図５は欠陥情報リストを説明するための説明図である。
欠陥セクタ情報リストは記録媒体工場出荷時に検査された欠陥セクタを登録するためリストである。欠陥ブロック情報リストは記録媒体への記録時に記録不能である場合の記録不能ＥＣＣブロックを登録するリストである。記録不能か否かはＥＣＣデコード処理で訂正不能ブロックであると判定されたブロックか否かで判断される。この欠陥セクタ情報リストおよび欠陥ブロック情報リストは光ディスク媒体の内周領域および外周領域に設けられた欠陥管理情報記録領域５ａにそれぞれに記録されることにより、一方の領域のリストが物理的破損に破損した際の信頼性を高めている。
【００２４】
次に、本実施形態による隣接トラックの欠陥セクタ／ブロックの特定方法について説明する。
図６は隣接トラックの欠陥セクタ／ブロックの特定を再生結果に基づき行う方法を説明するためのフローチャート、図７、図８、図９はその概念図である。
本実施形態における光ディスク媒体１はランドトラックおよびグルーブトラックそれぞれにデータが記録されるランドグルーブ構造である。光ディスク１のランドトラックおよびグルーブトラックはそれぞれシングルスパイラル構造で、図４に示すようにｎトラック（ｎ≧４）分の領域をひとつのゾーンとして定義された複数のゾーン（Ｚｏｎｅ１からＺｏｎｅＮ）に分割されている。
【００２５】
各ゾーンを構成するセクタ物理アドレスは、例えば各ゾーンのグルーブトラックの先頭セクタが該ゾーンの中において一番小さい物理セクタアドレスになるよう構成されている。この物理セクタアドレスはグルーブトラックにおいて順次規定単位（例えば１）ずつ増加される。該ゾーンのランドトラックのゾーン先頭セクタ物理アドレスは該ゾーンのグルーブトラックの最終セクタアドレスに規定単位（例えば１）増加させたアドレスになるよう構成される。ランドトラックのセクタ物理セクタアドレスはランドトラックにおいて順次規定単位（例えば１）ずつ増加され、該ゾーンにおけるランドトラックの最終セクタ物理アドレスが該ゾーンの最終物理セクタアドレスになるよう構成される。
【００２６】
なお、本発明においては、グルーブトラックの先頭セクタを該ゾーンの最小物理セクタアドレスにする代わりにランドトラックの先頭セクタを該ゾーンの最小物理セクタアドレスにしてもよい。また、本発明においては、光ディスク媒体１を複数のゾーンに分割しない構造でも適用可能である。
【００２７】
なお、本発明においては、情報記録領域が複数ゾーンに分割され、かつ物理アドレスとして、例えば情報記録領域のグルーブトラック側最内周物理アドレスを、前記情報記録領域の最小物理アドレスとし、グルーブトラック側の物理アドレスが情報記録領域最外周グルーブトラックの最終物理アドレスまで増加し、前記最外周グルーブトラックの最終物理アドレスより規定値（例えば１）増加した値を、前記情報記録領域の最内周ランドトラックの最小物理アドレスとし、ランドトラック側の物理アドレスが情報記録領域最外周ランドトラックの最終物理アドレスまで増加し、前記最外周ランドトラックの最終物理アドレスが前記情報記録領域の最大物理アドレスとなる構造でも適用可能である。
【００２８】
また、情報記録領域が複数ゾーンに分割され、かつ物理アドレスとして、例えば情報記録領域のランドトラック側最内周物理アドレスを、前記情報記録領域の最小物理アドレスとし、ランドトラック側の物理アドレスが情報記録領域最外周ランドトラックの最終物理アドレスまで増加し、前記最外周ランドトラックの最終物理アドレスより規定値（例えば１）増加した値を、前記情報記録領域の最内周グルーブトラックの最小物理アドレスとし、グルーブトラック側の物理アドレスが情報記録領域最外周グルーブトラックの最終物理アドレスまで増加し、前記最外周グルーブトラックの最終物理アドレスが前記情報記録領域の最大物理アドレスとなる構造でも適用可能である。
【００２９】
まず、制御マイコン３１は該ゾーンにおける各グルーブトラックの記録データの再生を指示する（ステップＳ６１）。再生において、光ディスク媒体１に汚れが付着しＥＣＣブロックのエラー訂正不能が発生した場合、ＥＣＣデコーダ部２５はＥＣＣデコード処理で訂正不能であったＰＩ行の行番号からグルーブトラックにおける汚損セクタの特定を行う（ステップＳ６３）。次に、制御マイコン３１は隣り合うグルーブトラックに跨り汚損セクタが存在するかを判断する（ステップＳ６５）。隣り合うグルーブトラックに跨り汚損セクタが存在すると判断した際には、制御マイコン３１は隣り合うグルーブトラックで挟まれるランドトラックの汚損セクタを特定する（ステップＳ６７）。次に、制御マイコン３１はランドトラックの汚損セクタの特定後、特定された汚損セクタが含まれる特定ＥＣＣブロックがエラー訂正不能ブロックであるかを判断する（ステップＳ６９）。特定ＥＣＣブロックがエラー訂正不能ブロックでないと判断した際、制御マイコン３１はランドトラックの欠陥セクタ情報を登録する（ステップＳ７１）。特定ＥＣＣブロックがエラー訂正不能ブロックであると判断した際、制御マイコン３１はランドトラックの汚損セクタ、エラー訂正不能ブロックを欠陥セクタ／ブロック情報として登録する（ステップＳ７３）。
【００３０】
図７の場合、グルーブトラックＮｏ．１のＥＣＣブロックのセクタ９からセクタ１１が訂正不能であったとする。同様にグルーブトラックＮｏ．２のＥＣＣブロックのセクタ５からセクタ６が訂正不能であったとする。２つのグルーブトラック１、２およびランドトラックＮｏ．１のセクタ配置は光ディスク媒体１の物理構造により一義的に決まっている。したがって、２つのグルーブトラック１、２に挟まれるランドトラックＮｏ．１の特定ＥＣＣブロックのセクタ７、８についても、実際のＥＣＣデコード処理を行うこと無しに、記録不可能である可能性が非常に高いとして訂正不能セクタと推定する。
【００３１】
なお、図８のように、グルーブトラックＮｏ．１、Ｎｏ．２に挟まれるランドトラックＮｏ．１のＥＣＣブロックの配置によっては、汚れ付着部分が２つのＥＣＣブロック（第１のＥＣＣブロックのセクタ１６と第２のＥＣＣブロックのセクタ１）に跨る場合がある。このランドトラックのＥＣＣブロックについては記録できる可能性がある。このようなＥＣＣブロックの特定も２つのグルーブトラックＮｏ．１、Ｎｏ．２及びランドトラックＮｏ．１のセクタ配置が記録媒体の物理構造により一義的に決めることが可能である。
【００３２】
同様に図９のように、２つのグルーブトラックＮｏ．１、Ｎｏ．２の内グルーブトラックＮｏ．１については、汚れが２つのＥＣＣブロック（第１のＥＣＣブロックのセクタ１６と第２のＥＣＣブロックのセクタ１）に分散されており、ＥＣＣデコード処理で訂正可能である。この場合は少なくともトラック２周分のＥＣＣデコード処理実行前のＰＩ行のエラー分布、またはＰＯ列訂正実行後のＰＩ行のエラー分布を履歴として記憶することにより汚損状態を特定する。
【００３３】
上記のセクタエラーの検出は記録データの再生結果でなく、例えば記録媒体のアドレス情報を元に特定する方法でも良い。このアドレス情報とは例えばＤＶＤ−ＲＡＭのヘッダエリアのプリピットアドレスやＤＶＤ−ＲＷのようなランドプリピットやＣＤ−ＲＷのようにウォブルに重畳されたアドレス情報でも良い。また、Ｓｙｎｃフレームの欠損状態を示す情報でも良い。
【００３４】
以下、ＳｙｎｃフレームとＥＣＣブロックの物理的関係により、Ｓｙｎｃフレームの欠落数によりＥＣＣブロックの破壊状態を推測する方法を説明する。
図１０はＳｙｎｃフレームとＥＣＣブロックの物理的位置関係を説明する図である。
図１０において、１セクタは２６Ｓｙｎｃフレームからなり、１Ｓｙｎｃフレームに対し、ＥＣＣパリティを含めて９１Ｂｙｔｅが割り付けられており、１セクタは２３６６Ｂｙｔｅからなる。
【００３５】
Ｓｙｎｃフレームは通常のデータ部分に対してユニークな波形が規定されており、例えばＤＶＤの場合、チャネルビットレートを基準長（以下、１Ｔと称する）として１４Ｔ＋４Ｔの信号波形である。このＳｙｎｃを基準としてデータ列同期をとって信号処理をする。しかしながらＳｙｎｃ検出不能の場合、Ｓｙｎｃ後のデータ列の同期が不可能となり少なくとも９１バイトのデータについては信号処理不可能となる。
【００３６】
ここで、ＳｙｎｃフレームとＥＣＣブロックの物理的位置関係を利用したＥＣＣブロックの破壊状態推測方法を説明する。
図１１はＳｙｎｃフレームとＥＣＣブロックの物理的位置関係を利用したＥＣＣブロックの破壊状態推測方法を説明するためのフローチャートである。また、図１２はエラー情報リストの構造例とランドトラックとグルーブトラックにおけるＥＣＣブロックの物理的配置例を示した図である。
【００３７】
図１１において、制御マイコン３１はまず装置を記録モードとなり、少なくともディスク２周以上の領域でかつ複数個のＥＣＣブロック単位（図１２のグルーブトラックＥＣＣＧ１からＥＣＣＧ２）の記録動作を指示する（ステップＳ１１１）。この記録動作が終了したか否かが判断された後（ステップＳ１１３）、光ＰＵＨ７が記録開始位置（図１２のＥＣＣＧ１の先頭）に移送され、記録データをリードベリファイする所謂ベリファイ処理に移行する（ステップＳ１１５）。次に、再生信号処理回路１３は１ＥＣＣブロック（ＥＣＣＧ１）のリード（ステップＳ１１７）後に、１ＥＣＣブロック（ＥＣＣＧ１）のＳｙｎｃエラー状況を図１２のエラー情報リストとして記憶する（ステップＳ１１９）。次に、２周分のＳｙｎｃエラー状況がチェックされたかが判断され（ステップＳ１２１）、２周分のＳｙｎｃエラー状況のチェックが終っていなければ、再生信号処理回路１３は次の１ＥＣＣブロック（図１２のＥＣＣＧ２）についても同様にリードベリファイ処理し、１ＥＣＣブロック（ＥＣＣＧ２）のＳｙｎｃエラー状況を記憶する。
【００３８】
ここで、制御マイコン３１はＥＣＣブロックＥＣＣＧ１、ＥＣＣＧ２に挟まれたＥＣＣＬ２ブロックについてエラーを予測する（ステップＳ１２３）。本実施形態の場合、ＥＣＣブロックの各先頭位置がディスク同心円状に配置されているので、各ＥＣＣブロックのＳｙｎｃ位置もほぼ隣接な関係であるので、図１２のエラー情報リストのようにＥＣＣＧ１とＥＣＣＧ２のＳｙｎｃエラー情報を基にＥＣＣＬ１のＳｙｎｃエラー状況が予測できる。
【００３９】
制御マイコン３１はＥＣＣＬ１のエラー予想数が所定数Ｎ個以上であるかを判断し（ステップＳ１２５）、Ｎ個以上の場合にＥＣＣＬ１ブロックは訂正不能エラーブロックであると判定し、２次交替登録する（ステップＳ１２７）。
【００４０】
次に、ベリファイ処理が終了したかが判断され（ステップＳ１２７）、終了していない場合にはステップＳ１１７に戻り次のグルーブトラックＥＣＣＧ３、ＥＣＣＧ２、ランドトラックＥＣＣＬ２を基に上述した処理を繰り返す。
【００４１】
なお、本実施形態ではグルーブトラックに挟まれたランドトラックの欠陥予測方法について説明したが、本発明はランドトラックに挟まれたグルーブトラックの欠陥セクタ／ＥＣＣブロックの予測についても適用可能である。
【００４２】
【発明の効果】
本発明によれば、ランドトラックまたはグルーブトラックのうちいずれか一方のトラックの欠陥を判断するだけで、欠陥の判断を行ったトラックに隣接するランドトラックまたはグルーブトラックのうちいずれか他方のトラックの欠陥を推定することにより、欠陥セクタ／ブロックの検出効率を良くすると共に、ベリファイ処理でのデータ記録時間を短縮することが可能になる。
【図面の簡単な説明】
【図１】本発明の実施形態に係わる光ディスク装置の構成を示すブロック図。
【図２】ＥＣＣエンコード処理方法を示す概念図。
【図３】ＥＣＣデコード処理方法を示す概念図。
【図４】交替処理を説明するための概念図。
【図５】欠陥情報リストを説明するための説明図。
【図６】隣接トラックの欠陥セクタ／ブロックの推定方法を説明するためのフローチャート。
【図７】隣接トラックの欠陥セクタ／ブロックの推定方法を説明するための第１の概念図。
【図８】隣接トラックの欠陥セクタ／ブロックの推定方法を説明するための第２の概念図。
【図９】隣接トラックの欠陥セクタ／ブロックの推定方法を説明するための第３の概念図。
【図１０】ＳｙｎｃフレームとＥＣＣブロックの物理的位置関係を説明する図。
【図１１】ＳｙｎｃフレームとＥＣＣブロックの物理的位置関係を利用したＥＣＣブロックの破壊状態推測方法を説明するためのフローチャート。
【図１２】エラー情報リストの構造例とランドトラックとグルーブトラックにおけるＥＣＣブロックの物理的配置例を示した図。
【符号の説明】
１    光ディスク装置
３    光ディスク媒体
５    モータ
７    光ピックアップヘッド
９    サーボ処理回路
１１    プリアンプ
１３    再生信号処理回路
１５    記録アンプ回路
１７    記録信号処理回路
１９    物理アドレス検出回路
２１    バッファ回路
２３    バッファコントローラ
２５    ＥＣＣデコーダ回路
２７    ＥＣＣエンコーダ回路
２９    ホストインタフェース回路
３１    制御マイコン
３３    欠陥管理情報記憶メモリ
【図１】
2004265479.tif 000003
【図２】
2004265479.tif 000004
【図３】
2004265479.tif 000005
【図４】
2004265479.tif 000006
【図５】
2004265479.tif 000007
【図６】
2004265479.tif 000008
【図７】
2004265479.tif 000009
【図８】
2004265479.tif 000010
【図９】
2004265479.tif 000011
【図１０】
2004265479.tif 000012
【図１１】
2004265479.tif 000013
【図１２】
2004265479.tif 000014